(57)【特許請求の範囲】
【請求項１】
空気駆動自熱リアクタ（ＡＴＲ）ユニット（６）における合成ガスの生成と、該生成した合成ガス（８）の熱交換およびこれによる水蒸気（１０）の発生とを含む、炭化水素供給原料（１）から電気エネルギー、水蒸気および濃縮形態の二酸化炭素を発生させる方法において、
前記合成ガスの少なくとも一部を転化ユニット（１２）、二酸化炭素吸収器（１６）および二酸化炭素脱着器（１９）中で処理して、濃縮二酸化炭素（２１）および電気エネルギーの生成のために複合サイクルガスタービン（２４）中で少なくとも部分的に燃焼される希薄水素含有ガス（１７）を生成させ、ここで前記ガスタービン（２４）からの空気を前記ＡＴＲユニット（６）に供給すること、ならびに前記ガスタービン（２４）からの排気ガス（２６）を熱交換して水蒸気を生成し、この水蒸気は前記転化ユニット（１２）の上流で発生した水蒸気（１０）とともに、実質的にＣＯ２を含有しない電気エネルギーを発生させるための発電機（３２）において用いられることを特徴とする、炭化水素供給原料から電気エネルギー、水蒸気および濃縮形態の二酸化炭素を発生させる方法。
【請求項２】
改質交換器と組合されたＡＴＲ（６）を含む改質ユニットを用いることを特徴とする、請求項１記載の方法。
【請求項３】
５０〜８０％の前記炭化水素供給原料（１）を前記ＡＴＲ（６）に供給し、残りの供給原料を前記改質交換器に供給することを特徴とする、請求項１記載の方法。
【請求項４】
予備改質器を前記ＡＴＲユニット（６）の上流で用いることを特徴とする、請求項１記載の方法。
【請求項５】
単一のＣＯシフト反応器ユニット（１２）を用いることを特徴とする、請求項１記載の方法。
【請求項６】
前記水素含有ガス混合物を（１７）希釈するために前記ガスタービン（２４）に水蒸気を供給することを特徴とする、請求項１記載の方法。
【請求項７】
前記ガスタービン（２４）から前記ＡＴＲユニット（６）に排気ガスを再循環することを特徴とする、請求項１記載の方法。
【請求項８】
前記ガスタービン（２４）からの前記排気ガスの少なくとも一部を、前記タービンへの前記空気供給（２５）と組み合わせることを特徴とする、請求項１記載の方法。
【請求項９】
前記合成ガス（１１）の一部をメタノールの製造に使用し、残りの合成ガスを下流のユニット（１２、１６、１９）においてさらに処理し、その後電気エネルギー生成に用いることを特徴とする、請求項１記載の方法。
【請求項１０】
アンモニア（４５）を生成するために前記二酸化炭素吸収器（１６）からの前記希薄水素含有ガス（１７）の一部を用いることを含む方法であって、前記ガスを膜ユニット（４０）において分離して、窒素：水素比をアンモニア状態に調整し、分離された窒素を主要な水素含有ガス流（１７）に戻し、窒素：水素比が１：３である流れをメタン化ユニット（４３）において処理し、その後アンモニア合成を行うことを特徴とする、請求項１記載の方法。
【請求項１１】
前記希薄水素含有ガス（１７）の一部を、前記二酸化炭素吸収器（１６）から電気エネルギーを発生する燃料電池用の燃料として用いるために供給することを特徴とする、請求項１記載の方法。
【発明の詳細な説明】
【０００１】
【発明の属する技術分野】
本発明は、炭化水素供給原料から電気エネルギー、水蒸気および濃縮形態の二酸化炭素を発生させることを含む方法に関する。本発明はさらに、前記方法と組合せた合成ガスに基づく生成物の随意の生成を含む。
【０００２】
【従来の技術】
電気エネルギーは、水素含有ガスによりガスタービンに燃料を供給する改質プラントと統合された複合サイクル発電所において生成される（統合改質複合サイクル（ＩＲＣＣ））。このような方法における主要な問題は、ガスタービンを最小の窒素酸化物排出を与える条件において作動させ、同時に最適な電気エネルギーおよび水蒸気生成を達成しなければならないことである。
【０００３】
電力、水蒸気および濃縮二酸化炭素を生成する方法は、インターネット上http:/www.hydro.com/konsern/news/eng/1998/980423e.htmlにおいて公開されている。この公開において、天然ガスと水蒸気とを反応させて、その後水素含有ガスを得、これを、電力を発生する複合サイクルガスタービン内で燃焼させることを含む方法が記載されている。
【０００４】
日本国特許出願ＪＰ６０８０４１からは、電気エネルギーを生成するための水素燃焼タービンを適用することがさらに知られる。この特許出願において、１：０．５〜１：０．７のモル比で、天然ガスと酸素とを、上記の燃料を酸化することにより部分的に反応させて、水素および一酸化炭素を発生させる。空気を、圧力スウィング吸収酸素分離器（ＰＳＡ）に供給し、酸素を次に、自熱反応器（ＡＴＲ）に送達し、ここで天然ガスを水素および一酸化炭素に転化する。改質されたガスは、シフト反応器に進入し、ここで一酸化炭素は二酸化炭素に転化される。次に上記ガス混合物を膜分離器に導入し、ここで水素を二酸化炭素から分離する。分離されたＣＯ2を洗浄除去し、後に脱着させる。炭素化合物をほとんど含まない水素を、ガスタービンにおいて用いて、電力を発生する。この方法には、酸素が必要であり、電力を消費するＰＳＡユニットが必要である。適用フローシートによると、天然ガスを、周囲圧近くまで減圧して、酸素の添加を可能にしなければならない。ＰＳＡ分離の後に、酸素を２回目に圧縮しなければならない。これらの追加の圧縮すべてにより、方法の効率が低下する。
【０００５】
【発明が解決しようとする課題】
本発明の主な目的は、炭化水素供給原料を改質する水蒸気を用いる電力を発生する改善された方法であって、かなりの部分の発生したＣＯ2を高度に濃縮されたＣＯ2ガス流として分離し、ここで窒素酸化物の排出を、従来のガスタービンについて受け入れられるレベル内とする方法を提供することである。
【０００６】
本発明の他の目的は、合成ガス生成物、特にアンモニア、メタノールおよび／またはジメチルエーテルの製造のため上記の発電方法の生成した合成ガスの少なくとも一部を用いることである。
【０００７】
【課題を解決するための手段】
電気エネルギーの生成に関して、本発明の方法は、炭化水素供給原料、例えば天然ガスの燃焼に基づく従来の発電施設に匹敵する。しかし、単に炭化水素を燃焼させることの１つの主要な欠点は、二酸化炭素の排出である。というのは、燃焼からの排気ガスが、現在経済的に回収することができない少量の二酸化炭素を含むのみであるためである。作動条件に依存して変化する窒素酸化物（ＮＯＸ）の排出もまた、排出問題を構成する場合がある。
【０００８】
二酸化炭素およびＮＯＸの排出を減少させるにあたっての主要な問題は、電力発生プロセスで不当な効率の低下を伴わずに所望の排出の減少を得ることである。上記の要求の観点から基本的な方法を評価するにあたっての第１の段階は、合成ガス生成段階であった。種々の方法を考慮して、本発明者等は、ＡＴＲが、いくつかの利点を提供することを見出し、ＡＴＲを作動させる最良の方法をさらに検討することが決定された。上記の日本国特許出願の教示するところに反して、ＡＴＲは、空気駆動反応器であるべきこと、即ち酸素駆動反応器ではないことが見出された。ＡＴＲの適用は、自由度の程度に関していくつかの利点を提供すると考えられた。従って、作動圧力を、概念の全体的な経済性の観点において選択することができた。メタンスリップは、下流ユニットの作動の観点において変化させることができ、最終的に、ＡＴＲにおいて生成した合成ガスは、ガス駆動タービンに適し、実証された大規模複合サイクルプラント（ＩＲＣＣ）において用いられる燃料混合物に匹敵する、比較的希薄なガスとなる。
【０００９】
このような方法のための有用な炭化水素供給原料は、天然ガス、ナフサ、種々の石油蒸留物等である。ＡＴＲの前に予備改質器を適用することにより、供給原料に関する融通性は、顕著に大きい。好ましい供給原料は、天然ガスである。
【００１０】
ＮＯＸの問題は、ガスタービンの作動条件に大いに関係することが見出された。ＮＯＸ生成は、このタービン中の火炎温度と関連する。従って、上記の火炎温度を制御するための備えがなされるべきである。上記タービン内で燃焼されるガス混合物の範囲は、火炎温度を所望のレベルに維持し、尚受け入れられる発電を維持するために、プロセスの設計により選択することができる。タービン内の火炎温度は、燃料ガスの組成により大いに決定される。空気駆動ＡＴＲは、ＩＧＣＣプラントにおいて用いられるガスと適合性のある希薄水素ベース燃料ガス混合物を提供することが見出された。ガスタービンの空気圧縮機の排出口においてＡＴＲについてのプロセス空気を抽出し、要求されるＡＴＲ注入圧力に昇圧するのが有利であると見出された。さらに、空気流をメタンスリップ（methane slip）の受け入れられるレベルに適合するように調整し、燃料ガス混合物の組成を、ガスタービン燃焼システム中のＮＯＸ生成の受け入れられるレベルと適合するように調整することができる。ガスタービンから空気と共に抽出された窒素を、燃料ガス混合物の成分としてタービン部に戻し、これによりタービン質量流量を大いに維持する。
【００１１】
所要に応じて、適度の水蒸気注入を適用して、タービンにおけるＮＯＸ生成を減少させることができる。バーナー設計の最適な設計もまた、ＮＯＸ排出を減少し得る。
【００１２】
本発明の概念内の１つの代替法は、ＡＴＲを改質交換器と組合せることである。この選択により、濃縮された形態でのＣＯ2の回収を増大させることができることが見出された。
【００１３】
最大の融通性を得るために、基本的な発電概念を、在来のプロセス流に基づいて、種々の生成物の生成と組合せることができる。従って、メタノールユニットは、ＡＴＲからの合成ガスの一部を用いることができ、アンモニアプラントは、合成ガスのシフト反応の後に二酸化炭素から分離された水素／窒素ガスの一部を用いることができる。アンモニアプラントに必要な唯一の追加のユニットは、従来の膜分離ユニットおよびアンモニア合成反応器の上流のメタン化器である。
【００１４】
本発明の範囲は、空気駆動ＡＴＲユニットにおける合成ガスの生成と、生成した合成ガスの熱交換およびそれによる水蒸気の生成とを含む。冷却された合成ガスの少なくとも一部を次に、ＣＯシフト反応器において処理し、これは、１つの単一のユニットまたは２つのＣＯシフト反応器であり、１つを低温反応器とし、１つを高温反応器とすることができる。上記のガス流を、二酸化炭素ユニットにおいてさらに処理して、二酸化炭素の濃縮流を生成し、１つの流れを、電気エネルギーを生成するための複合サイクルガスタービンにおいて少なくとも部分的に燃焼させる希薄水素含有ガスとする。上記のタービンからの空気を、ＡＴＲユニットに供給する。ガスタービンからの排気ガスを熱交換して、水蒸気を得、これを上流で発生した水蒸気と共に水蒸気タービンにおいて用いて、電気エネルギーを得る。
【００１５】
ＡＴＲユニットを改質交換器と組合せることができ、供給原料をこれらの２つのユニット間で分割することができ、好ましくは５０〜８０％の供給原料をＡＴＲに供給する。
【００１６】
予備改質器を、ＡＴＲユニットの上流に配置することができる。
【００１７】
本プロセスにおいて発生した水蒸気の少ない方の一部を、ガスタービンに供給して、水素含有ガスを希釈し、これによりガスタービンにおける火炎温度を低下させることができる。
【００１８】
ガスタービンからの排気ガスの少なくとも一部を、酸素源としてＡＴＲに再循環するかまたはガスタービンへの空気供給と組合せることができる。
【００１９】
合成ガスの一部を用いて、メタノールを生成し、この生成を、図１に関連して上記したような種々の方法により実施することができる。
【００２０】
二酸化炭素分離ユニットからのガスの一部を用いて、アンモニアを生成することができる。この場合、１つの流れを膜分離ユニットに供給して水素を分離し、これを他の水素含有ガス流と混合し、これにより混合流は１：３の窒素：水素比率を有する。膜ユニットからの窒素を、後にガスタービンに供給される主要水素含有ガス流に戻す。
【００２１】
【発明の実施の形態】
本発明を、実施例および添付した図面の記載に関連して、さらに説明し、明らかにする。
【００２２】
図１は、本発明を実施する例を示す。気体状炭化水素供給原料、例えば天然ガスを、流れ１として供給し、加熱し、圧縮し、その後導管２を通して、これを飽和器３に導き、ここでこれをプロセス水４、およびライン４ｂを通して供給された脱イオン補給水と混合する。次に、水で少なくとも部分的に飽和された炭化水素供給原料を、流れ５としてＡＴＲユニット６に供給する。圧縮空気を、導管７を通してＡＴＲユニット６に供給する。
【００２３】
随意に、予備改質器を、ＡＴＲの上流に配置することができる。これにより、炭化水素供給原料に関して増大した融通性が得られる。重質炭化水素の増大した含量が次に受け入れられる。空気供給２９の少なくとも一部を、ガスタービン空気圧縮機から供給し、必要な注入圧力に昇圧することができる。ユニット６はまた、ＡＴＲおよび改質交換器を含む組合せユニットとすることができる。炭化水素供給原料のどれほどをそれぞれのユニットに供給するべきであるかは、広い範囲内で変化させることができる。実際的な分割は、ＡＴＲに供給原料の５０〜８０％を供給し、改質交換器に残りの部分を当てるというものである。
【００２４】
ＡＴＲユニット６からの合成ガス８をボイラー（水蒸気発生器）９内で冷却し、次に転化ユニット１２に流れ１１として供給する。このユニットは、２つの従来のＣＯシフト反応器、即ち低温（ＬＴ）反応器および高温（ＨＴ）反応器を含むか、または１つの単一ＣＯシフト反応器のみを含むことができる。得られたガス混合物１３を冷却し、凝縮した水をユニット１４において除去し、次に得られたガス混合物を流れ１５としてＣＯ2吸収器１６に供給し、ここからＣＯ2および吸収剤を導管１８を通して脱着器１９に供給する。補給吸収剤をユニット１９に流れ２０ｂとして供給することができる。再生した吸収剤、例えばアミン溶液を吸収器１６に、導管２０を通して再循環する。水をユニット２２において、ＣＯ2流２１から除去する。ユニット２２および１４からのプロセス水を、分離器３に再循環する。次に、高度に濃縮されたＣＯ2流を圧縮し、ライン２３を通して送達し、さらに、例えば油またはガス場における注入ガスとして用いることができる。ＣＯ2吸収器１６からのガス流１７は、主に、水素および窒素、並びに少量のＣＯ、ＣＯ2、ＣＨ4から成る。次にこの流れ１７を、複合サイクルガスタービン２４用に燃料として用い、これに空気２５を供給する。
【００２５】
随意に、水蒸気１０をタービン２４に供給して、ＮＯＸを減少させることができる。流れ１７の少なくとも一部を燃料電池として用いて、直流電力を発生させることができる。上記電力を電気分解に用いる場合には、この随意の電力発生に伴う整流器は必要ない。タービン２４からの排気ガス２６を水と、水蒸気発生器２７において熱交換し、これからの水蒸気を熱交換器３０において過熱し、その後流れ３１を発電機３２に供給し、またこれに水蒸気１０を供給することができる。排気ガス２８を、改質ユニット６に再循環するかまたはガスタービン２４への空気供給２５と組合せることができる。
【００２６】
図２において、アンモニアプラントおよびメタノールプラントを、図１の基本的な方法に統合する。組合された方法は、上記のプラントの両方またはこれらの一方を含むことができる。合成ガス３４を、流れ１１から取り出し、メタノール合成３５に供給することができる。未転化合成ガス３７を合成ガス流１１に再循環し、生成物のメタノールを、導管３６を通して引き出す。あるいはまた、合成ガス３４を、ガス分離膜ユニットにおいて処理して、メタノール合成への供給用に、水素および二酸化炭素を除去することができる。この供給を、流れ２３から追加の二酸化炭素と共に供給することができる。次に、上記の膜ユニットからの他方の部分を、流れ１１に再循環する。
【００２７】
アンモニア合成用の供給を、ライン１７から引き出すことができる。先ず、１つの側流３８を膜ガス分離ユニット４０に供給して、水素４２をライン３９に供給し、Ｈ2：Ｎ2比を３：１に調整する。次にこのガス混合物を、メタン化ユニット４３において処理し、その後アンモニア４５を生成するアンモニア合成４４に送る。膜ユニット４０からの窒素を、ライン４１を通して、水素タービン２４用の供給１７に再循環する。
【００２８】
【実施例】
実施例１
本実施例は、図１の方法における電力生成、効率および濃縮流としての二酸化炭素の回収に関する本発明の効果を示す。本実施例はさらに、本方法の効率、濃縮二酸化炭素の回収および全電力生成を、合成ガスの生成のための一次−二次改質器を用いる方法のものと比較して示す。この例示的な実施例は、ＡＴＲへの排気ガス再循環の効果を示し、この実施例はまた、ＡＴＲを改質交換器と組合せることの効果を示す。以下の表において上記の組合せはＡＴＲ−ＲＥである。本発明の方法を、合成ガスを生成するための二次−一次改質器の組み合わせ（表中のＳＲ／ＰＲ）の使用と比較する。改質ユニットへの供給における水蒸気対炭素のモル比を、表において水蒸気：Ｃとして示す。
【００２９】
【表１】
0004190151.tif 000002
【００３０】
上記の結果から、本発明の方法は、９５．８％もの生成したＣＯ2を回収できることが明らかである。この結果はさらに、本発明の概念内で、効率、電力生成およびＣＯ2を、作動条件に依存して変化させ、この方法は大きな融通性を有することを示す。ＮＯＸ生成は、一般的に、ガスタービンに供給されたガス供給中の水素（％）の関数である。
【００３１】
【発明の効果】
本発明は、油溜めにおける注入のための駆動ガスとして適する清浄な二酸化炭素を生成する方法を提供する。このように、ＩＲＣＣプラントは、二酸化炭素の最小の排出で作動する。さらに、この方法は、現在のガスタービン技術において燃焼させるのに適する、水素に基づいた希薄燃焼燃料ガス混合物を提供する。ガスタービンに供給されたガス混合物の水蒸気での適度な希釈を、必要なＮＯＸ減少のみとして適用することができる。
【図面の簡単な説明】
【図１】  基本的な発電の概念の単純化したフローシートを示す。
【図２】  メタノールプラントおよび／またはアンモニアプラントと組合せた基本的な概念の単純化したフローシートを示す。
【符号の説明】
１  天然ガス
３  飽和器
６  ＡＴＲユニット
９  ボイラー（水蒸気発生器）
１２  転化ユニット
１６  ＣＯ2吸収器
１９  脱着器
２４  複合サイクルガスタービン
２７  水蒸気発生器
２８  排気ガス
３０  熱交換器
３２  発電機
３５  メタノール合成
３７  未転化合成ガス
４０  膜ガス分離ユニット
４２  水素
４３  メタン化ユニット
４４  アンモニア合成
４５  アンモニア
【図１】
0004190151.tif 000003
【図２】
0004190151.tif 000004